(57)【要約】【課題】洗濯物を型崩れなく、かつ、むらなく洗濯できる洗濯補助具を提供する。【解決手段】通液性のある長方形平板状のクッション材と、その上下の表面に通液性のあるメッシュ地を配し、中間部のクッション材は、その上下左右に通液しうる起毛部分が通液空間を保持すると共に、ネクタイ等の洗濯物と一体的にロール状に巻かれた状態でその外側表面が大きく、内側表面が小さい上下表面に通ずるハニカム構造の穴により洗濯時に外側から内側への浸水性、脱水時には内側から外側への排水性を良好とした。【選択図】  図１
2007089889.tif 000002
【特許請求の範囲】
【請求項１】
通液性のある長方形平板状のクッション材でその上下の表面にはメッシュ地を有すると共に中間部のクッション材には上下左右に通液しうる起毛部分を有した洗濯補助具であり、この洗濯補助具は表面に添えた洗濯物とともにロール状に巻かれ、解けないようその最外周の左右端末部を、締め付けた洗濯補助具。
【請求項２】
通液性のある長方形平板状のクッション材は、ロール状に巻かれた状態でその外側表面の穴が大きく内側表面の穴が小さい上下表面に通ずるハニカム構造の開口部を持つことを特徴とする請求項１記載の洗濯補助具。
【請求項３】
洗濯補助具は、それ自身が含水性の少ない合成樹脂で構成されている請求項１記載の洗濯補助具。
【発明の詳細な説明】
【技術分野】
【０００１】
本発明は、洗濯機による洗濯、脱水過程における洗濯物の型崩れ、洗濯じわの発生を防止するための洗濯補助具である。より詳しくは、これまで主にクリーニング店にだしていたネクタイ、高級手刺繍ハンカチ、着物の衿などを、洗濯機を利用して容易に洗うことができる洗濯補助具に関するものである。
【背景技術】
【０００２】
従来より、ネクタイ、高級手刺繍ハンカチ、和装用品などは、その性質上手洗い又はクリーニング店での専用機で洗濯していた。また、家庭の洗濯機で洗う場合は、例えば、袋状（特許文献１）や折りたたみ構造（特許文献２）をした洗濯ネットを使用していたが、上述の洗濯物などは洗濯物と洗濯ネットのサイズが合わないと洗濯、脱水過程で型崩れ、洗いじわ、折じわ等が生じることがあった。
【特許文献１】特開２００５−２１１６４０号公報
【特許文献２】特開２００１−３２７７９０号公報
【発明の開示】
【発明が解決しようとする課題】
【０００３】
すなわち、洗濯ネットは、袋状の構造か折りたたみ構造をしている。袋状洗濯ネットを使用した場合には洗濯物とネットのサイズが合わないと洗濯、脱水を行った後、洗濯物に型崩れ、洗濯じわが発生した。又、折りたたみ型の洗濯ネットを使用した場合、折りたたんだ洗濯物の内部が十分に洗浄できないうえ、やはり洗濯物に折りじわが発生した。
【０００４】
本発明は以上の欠点を解決する為になされたものである。
【課題を解決するための手段】
【０００５】
本発明の洗濯補助具は、通液性のある長方形平板状のクッション材でその上下の表面にメッシュ地を有するクッション材本体と、この本体に添えた洗濯物を一体的にロール状に巻き込んで、洗濯時に巻き解けないよう最外周の左右端末部を締め付ける留め具からなるものである。
【０００６】
また、この洗濯補助具は、ロール状に巻かれた状態でその外側表面の穴が大きく内側表面の穴が小さい上下表面に通ずるハニカム構造の開口部を持ったものである。
【０００７】
さらにこのクッション材本体は、含水性の少ない合成樹脂で構成されたものである。
【発明の効果】
【０００８】
本発明によれば、従来、家庭では洗濯が難しかった洗濯物を、補助具を用いることで洗濯機で他の洗濯物と同時に洗うことができ、しかも洗濯物の型崩れ、洗濯じわを防ぎながら洗濯むらもなくすことが出来る。
【発明を実施するための最良の形態】
【０００９】
この洗濯補助具は、その上下の表面にはメッシュ地を有すると共に中間部のクッション材は上下左右に通液しうる起毛部分を有した構造とすることにより、ロール状に巻いた中心部まで通液空間を保持し洗濯物全体をむらなく洗濯出来る。
【００１０】
さらにその形状をタオルに似た長方形状にすることにより、ネクタイのような長い洗濯物であっても容易に巻き込んで洗濯することが出来る。また、ハンカチなどサイズの小さな洗濯物を洗濯する場合には、列状態にならべることで同時に多くの枚数を巻き込んで洗濯出来る。
【００１１】
この洗濯補助具は、クッション材の反発力にて洗濯物を表面のメッシュ地間に固定するが、その反発力と厚みを適度にすることにより平面的な洗濯物だけでなく、レースにタック、ギャザーを入れたような立体的な洗濯物も型崩れすることなく洗濯出来る。
【００１２】
また、洗濯補助具は、ロール状に巻かれた状態でその外側表面の穴が大きく内側表面の穴が小さい上下表面に通ずるハニカム構造の開口部を持つことにより洗濯機による洗濯時は外側から内側への浸水性がよく、脱水時は内側から外側への排水性がよい状態に保てる。
【００１３】
さらに、補助具それ自身が含水性の少ない合成樹脂で構成されることにより、洗濯時には浸水性、脱水時には排水性を良好に保つことが出来る。
【００１４】
さらに加えて洗濯補助具は、上下のメッシュ地とクッション材を合成樹脂で一体的に形成することにより最小の部品点数で実現することができる。
【００１５】
ロール状に巻いた状態を解けないように保つ留め具は、紐あるいはゴム輪等で構成でき、ゴム紐の場合、ジョイントで取り外しが可能とすることにより洗濯補助具をロール状に巻いた状態で、最外周の左右端末部を締め付けることが容易に出来る。又、ゴム紐が、劣化、破損した場合にも容易に取替えが出来る。
【００１６】
さらに留め具は、色落ちしない材質で構成し、クッション材本体と識別される色であるほうが使用上から好ましい。
【００１７】
洗濯補助具は、上下表面にあるメッシュ地の目の粗さを細かくすることにより、肌理が細かい洗濯物であっても、支障なく洗濯出来る。
【実施例】
【００１８】
図１は本発明の洗濯補助具で、クッション材本体１の表面に洗濯物であるネクタイ３を添えてロール状に巻き込み、解けないようにゴム紐２で左右の両端部を留めて、洗濯ができる状態にしたものである。図２は、それを横から見た図である。クッション材本体１の左右両端部のゴム紐２はジョイント４でループ状となるよう取り付けられている。この洗濯補助具の展開図が図３−ａである。
【００１９】
次にネクタイ３を洗濯物としてこの補助具に巻き込んで洗う一連の過程を説明する。図３−ａのように補助具を開いてクッション材本体１のメッシュ地のハニカム構造の目の細かい方を上に向ける。その上に図３−ｂのように洗濯物としてのネクタイ３をＶ字状に折り返して添える。次に、しわにならないよう折り返し部分をやわらかく包みながらネクタイ３とクッション材本体１全体を図３−ｃから同ｄのようにロール状に巻き込み、図３−ｅの状態に巻き終える。ついで洗濯時の回転その他でロールが巻き解けないよう図３−ｆに示すようにループ状のゴム紐２で左右の両端部を締め付ける。図４は、洗濯補助具の断面略図である。また、クッション材５とメッシュ地６の関係を図５に示す。メッシュ地６のうちロール状に巻いた際、外側に面するそれはハニカム構造の目７の粗いものであり、内側に面するハニカム構造の目８はそれよりも細かいものである。その相対的関係を図６−ａと図６−ｂで示す。両図から明らかなように外側面のメッシュ地のハニカム構造の目７は、内側面のそれ８よりも十分に大きい。この洗濯補助具を巻き込んで外側から見た穴形状の模式図が図７である。以上のようにロール状に巻き込んだ洗濯補助具を、他の洗濯物とともに、洗濯機の槽内に投入し、通常のように自動洗濯を行なう。
【００２０】
以上、本発明の実施例について説明したが、本発明は上記実施形態に限定されるものではない。例えば、袋状のメッシュ地を用意する。一方でその袋の大きさに合わせたクッション材を用意して、これを袋の中に入れ、洗濯物をメッシュ地の片面に添えるか、又は、袋の中にまっすぐに入れて全体をロール状に巻き込んで使用すれば、全体形状も小さくなり、クッション材の反発力も有効に使える。また、留め具はゴム紐２やボタン、鍵ホック、バックルなどの器具だけでなく洗濯補助具を紐で締結する方法でも良い。また、ハニカム構造の目のあらさの大小関係は説明したがハニカム構造の大小関係や形状、留め具の取り付け位置、洗濯物を洗濯補助具に巻き込む方式及び回数は必ずしも上記実施例に限定されなく、洗浄効果及び型崩れ防止効果が損なわれない範囲で適宜変更可能である。
【産業上の利用可能性】
【００２１】
本発明の洗濯補助具は、洗濯機による洗濯、脱水過程において洗濯物の型崩れや洗濯じわを防ぐ補助具として利用可能である。
【図面の簡単な説明】
【００２２】
【図１】本発明の洗濯補助具をロール状に巻き込んで固定し、洗濯できる状態にした正面図。
【図２】同側面図。
【図３】ａ〜ｆは、本発明の洗濯補助具に洗濯物を巻き込みロール状にして洗濯することが出来る状態にする迄の過程を示す図。
【図４】洗濯補助具の断面略図。
【図５】洗濯補助具のクッション材とメッシュ地の関係を示す断面略図。
【図６】ａ、ｂは、ハニカム構造の粗い目を持ったメッシュ地、ハニカム構造の細かい目を持ったメッシュ地それぞれを示す図。
【図７】本発明の洗濯補助具をロール状に巻いた状態でその外側表面から見た穴形状の模式図。
【符号の説明】
【００２３】
１  クッション材本体
２  ゴム紐
３  ネクタイ
４  ジョイント
５  クッション材
６  メッシュ地
７  目の粗いハニカム構造のメッシュ地
８  目の細かいハニカム構造のメッシュ地
【図１】
2007089889.tif 000003
【図２】
2007089889.tif 000004
【図３】
2007089889.tif 000005
【図４】
2007089889.tif 000006
【図５】
2007089889.tif 000007
【図６】
2007089889.tif 000008
【図７】
2007089889.tif 000009